(57)【要約】【課題】補助収納部の収納スペースを大とすること。【解決手段】開閉扉９の裏面の下端部に、裏面の左右両側部に設けられたサイドフレーム１１，１１の前後寸法より小さい前後寸法の下部フレーム１３を固着し、その上下の端部に形成された支持片１３ｂと支持溝１５とに、補助収納箱１８の前面の下向鉤状の係合片２１と下向係合片２１を上方より係合させて支持する。【選択図】    図３
2004275343.tif 000002
【特許請求の範囲】
【請求項１】
前方に引出し可能な引出しの前面部に、下端を中心として前後に所要角度開閉しうる開閉扉を設け、その後部に補助収納部を形成してなる引出し前部の補助収納部構造であって、前記開閉扉の裏面の下端部に、該裏面の左右両側部に固着したサイドフレームの前後寸法より小さい前後寸法の下部フレームを、前記両サイドフレームの間において左右方向を向くように固着し、前記下部フレームの少なくとも上下いずれか一方の端部に設けた支持部に、補助収納箱の前面に設けた係合部を係合させて支持したことを特徴とする引出し前部の補助収納部構造。
【請求項２】
支持部を、下部フレームの上端に一体的に形成された後ろ上方を向く支持片とし、該支持片と開閉扉の裏面との間の隙間に、補助収納箱の前面に設けた下向鈎状の係合片を上方より係合することにより、補助収納箱を下部フレームに支持してなる請求項１に記載の引出し前部の補助収納部構造。
【請求項３】
支持部を、下部フレームの下端部の後向き折曲部の上面に形成した凹状の支持溝とし、該支持溝に、補助収納箱の前端下部に設けた下向係合片を上方より係合することにより、補助収納箱を下部フレームに支持してなる請求項１に記載の引出し前部の補助収納部構造。
【請求項４】
下部フレームに支持片と支持溝を設けるとともに、補助収納箱に係合片と下向係合片を設けた請求項２または３に記載の引出し前部の補助収納部構造。
【請求項５】
下部フレームの下端に枢支片を下向きに連設し、その後面に、補助収納部の底板の前端に形成した左右方向を向く支軸部に前後に回動可能に係合する枢支溝を左右方向に沿って設けた請求項１ないし４のいずれかに記載の引出し前部の補助収納部構造。
【請求項６】
補助収納箱の後部下面に、開閉扉を閉じたときに、補助収納部の底板の上面に設けた保持部材に上方より係合し、開閉扉を開いたとき離脱するキャッチ部材を設けた請求項１ないし５のいずれかに記載の引出し前部の補助収納部構造。
【発明の詳細な説明】
【０００１】
【発明の属する技術の分野】
本発明は、流し台等の引出し前部の収納部構造に関する。
【０００２】
【従来の技術】
流し台の引き出しは、全体を引き出して収納した物品を引き出すようになっているのが殆どであり、使用頻度の高い物品を奥部に収納したり、他の物品と混在して収納したりすると、目的の物品を取り出すのに時間がかかる。
【０００３】
このような問題に対処するために、本願の出願人は、引出し本体の前面部に、引出し全体を引出すことなく開閉して、裏面の収納部に収納した物品を容易に取出すことができるようにした補助収納部を有する引出しを案出し、先に特許出願している（特願２００１−４００８５１号参照）。
【０００４】
【発明が解決しようとする課題】
上記先願のものにおいては、引出し本体の収納容積を小さくすることなく、補助収納部の収納スペースをいかに大とするかが、課題として残されていた。そこで本発明は、上記課題に鑑みてなされたもので、補助収納部の収納スペースを大としうるようにした引出し前部の補助収納部構造を提供することを目的としている。
【０００５】
【課題を解決するための手段】
前記した問題を解決するために、本発明の補助収納部構造は、前方に引出し可能な引出しの前面部に、下端を中心として前後に所要角度開閉しうる開閉扉を設け、その後部に補助収納部を形成してなる引出し前部の補助収納部構造であって、前記開閉扉の裏面の下端部に、該裏面の左右両側部に固着したサイドフレームの前後寸法より小さい前後寸法の下部フレームを、前記両サイドフレームの間において左右方向を向くように固着し、前記下部フレームの少なくとも上下いずれか一方の端部に設けた支持部に、補助収納箱の前面に設けた係合部を係合させて支持したことを特徴とする。
この特徴によれば、開閉扉の裏面の下端部に、左右両側部のサイドフレームより前後寸法の小さな下部フレームを設け、それに設けた支持部に、補助収納箱の前面の係合部を係合させて支持しているため、補助収納箱の前面をサイドフレームの後面より前方に位置させることができ、その分、前後寸法の大きな補助収納箱を使用して収納容積を増大することができる。
【０００６】
本発明の補助収納部構造は、支持部を、下部フレームの上端に一体的に形成された後ろ上方を向く支持片とし、該支持片と開閉扉の裏面との間の隙間に、補助収納箱の前面に設けた下向鈎状の係合片を上方より係合することにより、補助収納箱を下部フレームに支持してなることが好ましい。
このようにすれば、補助収納箱を上方より下部フレームに簡単かつ着脱可能に取り付けることができる。
【０００７】
本発明の補助収納部構造は、支持部を、下部フレームの下端部の後向き折曲部の上面に形成した凹状の支持溝とし、該支持溝に、補助収納箱の前端下部に設けた下向係合片を上方より係合することにより、補助収納箱を下部フレームに支持してなることが好ましい。
このようにすれば、上記と同様、補助収納箱を上方より下部フレームに簡単かつ着脱可能に取り付けることができる。
【０００８】
本発明の補助収納部構造は、下部フレームに支持片と支持溝を設けるとともに、補助収納箱に係合片と下向係合片を設けたことが好ましい。
このようにすれば、下部フレームの上下の支持片と支持溝とに、補助収納箱の係合片と下向係合片を係合させ、補助収納箱の前面を上下２個所で支持しうるので、補助収納箱が安定的に取り付けられる。
【０００９】
本発明の補助収納部構造は、下部フレームの下端に枢支片を下向きに連設し、その後面に、補助収納部の底板の前端に形成した左右方向を向く支軸部に前後に回動可能に係合する枢支溝を左右方向に沿って設けたことが好ましい。
このようにすれば、開閉扉のヒンジを別途設ける必要がないので、部品点数や組立工数が削減されるとともに、コスト低減が図れる。
【００１０】
本発明の補助収納部構造は、補助収納箱の後部下面に、開閉扉を閉じたときに、補助収納部の底板の上面に設けた保持部材に上方より係合し、開閉扉を開いたとき離脱するキャッチ部材を設けたことが好ましい。
このようにすれば、開閉扉を閉じたときに、補助収納箱ががたなく安定的に支持されるとともに、開閉扉を閉じた状態に保持する保持力が増す。
【００１１】
【発明の実施の形態】
以下、本発明の実施形態を図面に基づいて説明する。
【００１２】
図１は、本発明を適用した流し台の縦断側面図を示すもので、流し台１におけるシンク２の下方の空間内には、引出し３が、図示しない左右１対のガイド手段により、前方（以下、図１の左方を前として説明する）に引出し可能として収納されている。
【００１３】
引出し３は、後部に収納箱４を有する引出し本体５と、その前部の補助収納部６とからなり、それらは引出し本体５の前端に設けた前面板７により仕切られている。この前面板７の上端における前向片７ａの前端には、引出し３の取手８が取り付けられ、これを手前に引くことにより、引出し３全体を前方に引出すことができる。
【００１４】
補助収納部６の前面開口部には、下端の枢支部（詳細は後述する）を中心として前方に所要角度開放しうる開閉扉９が、上記前面板７との間に所要の収納空間が形成されるようにして、左右１対の折り畳み式ステ−１０により、開閉可能に設けられている。
【００１５】
図２に示すように、開閉扉９の裏面（後面）の左右両側部には、上下方向を向く、１対のサイドフレーム１１，１１が固着され、また、それらの対向面間の上端部には、左右方向を向く上部フレーム１２が固着されている。また、上記左右のサイドフレーム１１の対向面間における開閉扉９の裏面の下端部には、図３にも拡大して示すように、アルミニウム合金等により押し出し成形された薄型板状の下部フレーム１３が、複数のねじ１４により固着されている。
【００１６】
下部フレーム１３は、開閉扉９の裏面にねじ１４により固着される垂直平板状の基片１３ａと、その上端に連設された後ろ上方を向く逆Ｌ字状断面の支持片１３ｂと、同じく下端に、前下方に向かって連設された枢支片１３ｃと、その下端に前向きに連設され、前端が開閉扉９の裏面に当接する当接片１３ｄと、基片１３ａの上下方向の中間部裏面に後向きに連設された倒立Ｌ字状断面の後向き当接片１３ｅとを備え、前後方向の最大寸法は、サイドフレーム１１及び上部フレーム１２の厚さよりも小としてある。
【００１７】
上記枢支片１３ｃの上面には、後記する補助収納箱１８の前端下部を係合して支持するための凹状の支持溝１５が、また、その下方には、後面が一部開口するＣ字状断面の枢支溝１６が、それぞれ左右方向に全長に亘って形成されている。
【００１８】
上記枢支溝１６は、前面板７の下端に前方を向いて固着されたアルミニウム合金等よりなる底板１７の前端の球面状断面をなす支軸部１７ａに、前後方向に回動自在に側端より嵌合されている。従って、開閉扉９は下端すなわち底板１７の前端を中心として前後方向に回動することができる。
【００１９】
前面板７と開閉扉９間の収納空間における下端部には、補助収納箱１８が設けられている。この補助収納箱１８は、図２に示すように、アルミニウム合金等により押し出し成形された、左右寸法が下部フレーム１３の左右寸法とほぼ等長をなす側面視上向きコ字状の収納ベース１９と、その左右両側面に接着剤等により固着される合成樹脂製の側板２０，２０とからなっている。
【００２０】
上記収納ベース１９の長寸の前板１９ａの前面と下端とには、それぞれ下部フレーム１３における支持片１３ｂと開閉扉９との間の隙間に上方より嵌合可能な下向鈎状の係合片２１と、同じく下部フレーム１３の支持溝１５に上方より嵌合可能な下向き係合片２２とが、左右方向に全長に亘って一体的に連設されている。また、前板１９ａの上端部の前面には、開閉扉９の裏面に当接可能な当接片２３が、左右方向に全長に亘って一体的に連設されている。
【００２１】
さらに、収納ベース１９の下面の後端には、下面が開口されたほぼ半円状断面のキャッチ片２４が、左右方向に全長に亘って一体成形され、このキャッチ片２４は、上記底板１７の後端部上面に固着された、左右方向を向く球面状断面の合成樹脂等によりなる保持部材２５に着脱可能かつ若干きつ目に係合されるようになっている。
【００２２】
補助収納箱１８を下部フレーム１３に取り付けるには、開閉扉９を開いた状態で、補助収納箱１８における前板１９ａの上下の係合片２１と下向係合片２２とを、下部フレーム１３における支持片１３ｂと開閉扉９間の隙間と支持溝１５とに、上方より若干きつ目に嵌合して支持すれば良い（図３参照）。
【００２３】
取付後において、前面板１９ａの上端の当接片２３の前端が下部フレーム１３の当接片１３ｅの後端に当持するので、補助収納箱１８を取付けた後、開閉扉９を閉じると、図３に示すようにキャッチ片２４が底板１７の上面の保持部材２５に自動的に係合することにより、補助収納箱１８は、がたなく安定的に保持される。また、開閉扉９の前面上部の取手２６を強く前方に引くと、キャッチ片２４が保持部材２５より離脱し、開閉扉９を開くことができる。
【００２４】
以上説明したように、上記実施形態においては、開閉扉９の裏面におけるサイドフレーム１１間の下端部に、その前後寸法よりも小寸の薄肉板状の下部フレーム１３を取付け、それに一体形成された支持片１３ｂと支持溝１５とに、補助収納箱１８の前板１９ａ前面の係合片２１と下向係合片２２を係合させて支持しているため、前板１９ａを両サイドフレーム１１間において、その後面よりも前方に位置させることができ（図３参照）、その分、補助収納部６内の収納スペースが大となり、前後寸法の大きな補助収納箱１８を取付けて収納容積を増大することができる。
【００２５】
また、補助収納部６の収納スペースを大とするべく、引出し本体５の前後寸法を小さくする必要がないので、収納箱４の収納容積が小さくなることはない。また、補助収納箱１８の下部フレーム１３への取付けや取外しを、上方より簡単に行うことができるため、補助収納箱１８の清掃等が容易となる。
【００２６】
下部フレーム１３の下端部には、枢支溝１６が形成され、この枢支溝１６を底板１７の前端の支軸部１７ａに嵌合することにより、開閉扉９は下端を中心として開閉することができるので、別部材としてのヒンジ等を取付ける必要がなく、部品点数や組立工数が削減されるとともに、コスト低減が図れる。
【００２７】
開閉扉９を閉じると、補助収納箱１８の後端下面に設けたキャッチ片２４が、底板１７の上面に設けた保持部材２５に係合するため、補助収納箱１８は安定的に保持されるとともに、開閉扉９を開閉状態とする保持力が増大する。
【００２８】
下部フレーム１３の支持片１３ｂと支持溝１５及び補助収納箱１８の係合片２１と下向係合片２２は、左右方向に全長に亘って形成されているため、それらの係合領域が大きく、補助収納箱１８の支持強度も大となる。
【００２９】
【発明の効果】
本発明は次の効果を奏する。
【００３０】
（ａ）請求項１の発明によれば、補助収納箱の前面をサイドフレームの後面より前方に位置させて下部フレームにより支持しうるので、その分、前後寸法の大きな補助収納箱を使用することができ、収納容積が増大する。また、引出し本体の前後寸法を小さくしなくても良いので、その収納箱の収納容積を減少させずに済む。
【００３１】
（ｂ）請求項２の発明によれば、補助収納箱を上方より下部フレームに簡単かつ着脱可能に取り付けることができるので清掃等が容易となる。
【００３２】
（ｃ）請求項３の発明によれば、上記と同様、補助収納箱を上方より下部フレームに簡単かつ着脱可能に取り付けることができるので清掃等が容易となる。
【００３３】
（ｄ）請求項４の発明によれば、補助収納箱の前面の上下２個所が下部フレームに支持されるので、それを安定的に取り付けることができる。
【００３４】
（ｅ）請求項５の発明によれば、開閉扉のヒンジを別途設ける必要がないので、部品点数や組立工数が削減されるとともに、コスト低減が可能となる。
【００３５】
（ｆ）請求項６の発明によれば、開閉扉を閉じたときに、補助収納箱が安定的に支持されるとともに、開閉扉を閉じた状態に保持する保持力が増す。
【図面の簡単な説明】
【図１】本発明を適用した流し台の縦断側面図である。
【図２】補助収納部の要部の分解斜視図である。
【図３】同じく、補助収納部の下端部の拡大縦断側面図である。
【符号の説明】
１        流し台
２        シンク
３        引出し
４        収納箱
５        引出し本体
６        補助収納箱
７        前面板
７ａ      前向片
８        取手
９        開閉扉
１０      折り畳み式ステー
１１      サイドフレーム
１２      上部フレーム
１３      下部フレーム
１３ａ    基片
１３ｂ    支持片
１３ｃ    枢支片
１３ｄ    当接片
１３ｅ    後向き当接片
１４      ねじ
１５      支持溝
１６      枢支溝
１７      底板
１８      補助収納箱
１９      収納ベース
１９ａ    前板
２０      側板
２１      係合片
２２      下向係合片
２３      当接片
２４      キャッチ片（キャッチ部材）
２５      保持部材
２６      取手
【図１】
2004275343.tif 000003
【図２】
2004275343.tif 000004
【図３】
2004275343.tif 000005